(57)【要約】【課題】ＩＣの温度差に起因する印刷品質の低下を抑制する。【解決手段】液滴を吐出する圧力を発生させる圧力発生素子と、圧力発生素子に駆動信号を伝える少なくとも２つの配線部と、複数の配線部にそれぞれ設けられ、圧力発生素子の駆動制御を行う複数のＩＣと、複数のＩＣに接し、ＩＣの熱を放熱するヒートシンクと、を備え、複数のＩＣは、直接ヒートシンクに接する第１のＩＣと、配線部を介してヒートシンクに接する第２のＩＣとにより構成され、第１のＩＣの消費電力を、第２のＩＣの消費電力よりも大きくなるように制御する回路を備える。【選択図】図６
2020044764.tif 000002
【特許請求の範囲】
【請求項１】
液滴を吐出する圧力を発生させる圧力発生素子と、
前記圧力発生素子に駆動信号を伝える少なくとも２つの配線部と、
複数の前記配線部にそれぞれ設けられ、前記圧力発生素子の駆動制御を行う複数のＩＣと、
複数の前記ＩＣに接し、前記ＩＣの熱を放熱するヒートシンクと、を備え、
前記複数のＩＣは、直接前記ヒートシンクに接する第１のＩＣと、前記配線部を介して前記ヒートシンクに接する第２のＩＣとにより構成され、
前記第１のＩＣの消費電力を、前記第２のＩＣの消費電力よりも大きくなるように制御する回路を備える、
ことを特徴とする液体吐出ヘッド。
【請求項２】
請求項１に記載の液体吐出ヘッドであって、
前記回路は、吐出時において、前記第１のＩＣに対しては吐出しない程度の大きさの駆動信号を印加し、前記第２のＩＣに対しては前記駆動信号を印加しない、
ことを特徴とする液体吐出ヘッド。
【請求項３】
請求項１に記載の液体吐出ヘッドであって、
前記回路は、吐出時において、前記第２のＩＣに対しては吐出しない程度の大きさの駆動信号を印加し、前記第１のＩＣに対しては前記駆動信号よりも波形が大きい駆動信号を印加する、
ことを特徴とする液体吐出ヘッド。
【請求項４】
請求項１に記載の液体吐出ヘッドであって、
前記回路は、吐出外のタイミングにおいて、前記第１のＩＣに対しては吐出しない程度の大きさの駆動信号を印加し、前記第２のＩＣに対しては前記駆動信号を印加しない、
ことを特徴とする液体吐出ヘッド。
【請求項５】
請求項１に記載の液体吐出ヘッドであって、
前記回路は、吐出外のタイミングにおいて、前記第２のＩＣに対しては吐出しない程度の大きさの駆動信号を印加し、前記第１のＩＣに対しては前記駆動信号よりも波形が大きい駆動信号を印加する、
ことを特徴とする液体吐出ヘッド。
【請求項６】
請求項１に記載の液体吐出ヘッドであって、
前記回路は、単位時間あたりの消費電力、１滴の吐出あたりの消費電力、１印刷データあたりの消費電力、ＴＥＣ値あたりの消費電力、のいずれかの消費電力について、前記第１のＩＣが前記第２のＩＣよりも大きくなるように制御する、
ことを特徴とする液体吐出ヘッド。
【請求項７】
請求項１〜６のいずれか１項に記載の液体吐出ヘッドを備えたことを特徴とする液体を吐出する装置。
【発明の詳細な説明】
【技術分野】
【０００１】
本発明は、液体吐出ヘッド、および液体を吐出する装置に関する。
【背景技術】
【０００２】
従来、ＩＣ（Integrated Circuit）が設けられた複数のＦＰＣ（Flexible Printed Circuits）にヒートシンクを設ける構成が知られている。例えば、特許文献１には、ＩＣを冷却する目的で、ＦＰＣを介してＩＣの裏面側からヒートシンクを貼り付ける構成が開示されている。
【発明の概要】
【発明が解決しようとする課題】
【０００３】
ＦＰＣやＩＣのレイアウトによっては、ヒートシンクがＩＣに対して直接貼り付けられる場合や、ＦＰＣを介してＩＣの裏面側から貼り付けられる場合がある。今までのように、ヒートシンクをただ設けるだけでは、ＩＣによってヒートシンクによる冷却効率に差が生じてしまい、ＩＣに温度差が発生してしまう。ＩＣはアナログスイッチ等で構成され、温度が変化するとスイッチのオン抵抗が変化し、ピエゾに印加される駆動波形がＩＣによって異なってしまい、吐出ムラなどの原因となり印刷品質が低下する問題があった。
【０００４】
本発明は、ＩＣの温度差に起因する印刷品質の低下を抑制することが可能な液体吐出ヘッドを提供することを目的とする。
【課題を解決するための手段】
【０００５】
本発明にかかる液体吐出ヘッドは、液滴を吐出する圧力を発生させる圧力発生素子と、前記圧力発生素子に駆動信号を伝える少なくとも２つの配線部と、複数の前記配線部にそれぞれ設けられ、前記圧力発生素子の駆動制御を行う複数のＩＣと、複数の前記ＩＣに接し、前記ＩＣの熱を放熱するヒートシンクと、を備え、前記複数のＩＣは、直接前記ヒートシンクに接する第１のＩＣと、前記配線部を介して前記ヒートシンクに接する第２のＩＣとにより構成され、前記第１のＩＣの消費電力を、前記第２のＩＣの消費電力よりも大きくなるように制御する回路を備える、ことを特徴とする液体吐出ヘッドとして構成される。
【発明の効果】
【０００６】
本発明によれば、ＩＣの温度差に起因する印刷品質の低下を抑制することができる。
【図面の簡単な説明】
【０００７】
【図１】液体吐出ヘッドの一例であるインクジェットヘッドの外観斜視図である。
【図２】インクジェットヘッドが有するヒートシンクの外観斜視図である。
【図３】インクジェットヘッドが有するヒートシンクの外観斜視図である。
【図４】ＦＰＣに実装されるＩＣ部の外観斜視図である。
【図５】インクジェットヘッドの圧電素子への配線の模式図である。
【図６】図５に示した配線を実現する等価回路を示す図である。
【図７】印加波形例を示す図である。
【図８】他の印加波形例を示す図である。
【図９】液体を吐出する装置の一例を示す図であり、（Ａ）は要部構成の概略を示す斜視図、（Ｂ）は側面図である。
【図１０】液体吐出ユニットの一例を示す側面図である。
【図１１】液体吐出ユニットの一例を示す上面図である。
【図１２】液体吐出ユニットの一例を示す側面図である。
【発明を実施するための形態】
【０００８】
以下、添付図面を参照して、液体吐出ヘッド、および液体を吐出する装置の実施の形態を詳細に説明する。本実施形態における液体吐出ヘッドは、ヒートシンクがＩＣ表面と接合する側のＩＣに吐出に影響しない駆動波形を入力することで、ヒートシンクが直接貼り付けられたＩＣの発熱量が増えるため、ヒートシンクがＦＰＣを介して裏面側から貼り付けられたＩＣの温度に近づくことが特徴になっている。 
【０００９】
図１は、液体吐出ヘッドの一例であるインクジェットヘッド１０００の外観斜視図である。図２は、インクジェットヘッド１０００が有するヒートシンク１００（第１のヒートシンク）の外観斜視図である。図３は、インクジェットヘッド１０００が有するヒートシンク２００（第２のヒートシンク）の外観斜視図である。図４は、ＦＰＣに実装されるＩＣ部の外観斜視図である。
【００１０】
インクジェットヘッド１０００は、インクジェットヘッド１０００内で駆動するＩＣの発熱を外気に放熱するためのヒートシンクを備えている。本実施例では、ヒートシンクは、図２に示すヒートシンク１００と、図３に示すヒートシンク２００とに分割された構成となっているが、これらが一体として構成されていてもよい。ヒートシンク１００は、インクジェットヘッド１０００の外部である外気に接し、ＩＣ３００（第１のＩＣ）、ＩＣ３００’（第２のＩＣ）からの発熱を、ヒートシンク２００を介して当該外部に放散するためのヒートシンクである。ヒートシンク２００は、ＩＣ３００、ＩＣ３００’からの発熱をヒートシンク１００に伝える働きをする。
【００１１】
図４に示すように、ＩＣ３００、ＩＣ３００’のそれぞれは、同じ形状のＦＰＣ４００、ＦＰＣ４００’に実装され、互いに向かい合うように配置される。ＩＣ３００、ＩＣ３００’は、液滴を吐出する圧力を発生させる圧力発生素子の駆動制御を行うＩＣである。また、ＦＰＣ４００、ＦＰＣ４００’は、圧力発生素子に駆動信号を伝えるフレキシブル配線板である。
【００１２】
この状態で、図の手前側からＩＣ３００とＩＣ３００’とに同じヒートシンクを貼り付けると、ＩＣ３００に対しては、ＩＣ表面がヒートシンクに直接貼り付けられる。一方、ＩＣ３００’に対しては、ＦＰＣ４００’を介して貼り付けられることになる。そのため、ＩＣ３００’の放熱効率は、ＩＣ３００の放熱効率よりも悪くなり、ＩＣ３００とＩＣ３００’との間でＩＣ温度に差が生じてしまう。ＩＣ温度に差が生じると、ＩＣ内のスイッチング素子の特性、例えばアナログスイッチのオン抵抗に差ができてしまい、吐出特性に差が出て印刷品質が悪化してしまう。
【００１３】
図５は、液体吐出ヘッドの一例であるインクジェットヘッド１０００の圧電素子への配線の模式図である。図６は、図５に示した配線を実現する等価回路を示す図である。
【００１４】
図５に示すＰＺＴ（チタン酸ジルコン酸鉛）５０１は圧電素子であり、本実施例では、圧電素子の端子間電圧を変化させ、圧電素子の変位量を変化させることにより、インクジェットヘッド１０００の液室に圧力変化を発生させ、液滴の吐出を行う。図６に示すように、圧電素子の一方の電極はアナログスイッチＳＷを経由して駆動信号生成回路５０２に接続されている。ＩＣ３００およびＩＣ３００’は、吐出を行うノズルに対応するＳＷをオンするよう制御し、駆動信号発生回路５０２が駆動波形を出力することにより、圧電素子であるＰＺＴ５０１に駆動波形が供給される。
【００１５】
図７は、本実施例における印加波形例を示す図である。本実施例では、ＩＣ３００とＩＣ３００’の温度差を小さくするため、ＩＣ表面に直接ヒートシンクが貼り付けられるＩＣ３００にのみ、インクが吐出しない程度の駆動波形を付与している。図７では、ＩＣ３００に対してインクが吐出しない程度の駆動波形が印加される一方（Ｐ１）、ＩＣ３００’に対しては上記駆動波形が印加されていないことを示している（Ｐ２）。
【００１６】
このように、駆動波形が付与された分だけ、ＩＣ３００側の消費電力が増加するため、発熱量が増加する。ＩＣ３００’の方がＩＣ３００よりも放熱効率が低いため、ＩＣ３００側の発熱量を増やすことでＩＣ３００’と同程度の温度になるように制御する。したがって、ＩＣ３００の温度とＩＣ３００’の温度との温度差を低減する（例えば、同程度の温度とする）ことができ、印刷品質の悪化を防止することができる。
【００１７】
図８は、他の実施例における印加波形例を示す図である。本実施例では、ＩＣ３００とＩＣ３００’の温度差を小さくするため、ＩＣ表面に直接ヒートシンクが貼り付けられるＩＣ３００にのみ、吐出外のタイミングとなる非印字区間において、吐出しない程度の駆動波形を付与している。図８では、印字区間Ｔの間の非印字区間Ｔ’において、ＩＣ３００に対してインクが吐出しない程度の駆動波形が印加される一方（Ｐ３）、ＩＣ３００’に対しては上記駆動波形が印加されていないことを示している（Ｐ４）。
【００１８】
このように、駆動波形が付与された分だけ、ＩＣ３００側が発熱する。また、印字区間Ｔでは、非印字区間Ｔ’においてＩＣ３００側が発熱した分だけ、印字開始時のＩＣ温度が高くなる。このような制御により、印字中におけるＩＣ３００の温度とＩＣ３００’の温度との温度差を低減する（例えば、同程度の温度とする）ことができ、印刷品質の悪化を防止することができる。
【００１９】
このように、上記各実施例における液体吐出ヘッドによれば、液滴を吐出する圧力を発生させる圧力発生素子と、圧力発生素子に駆動信号を伝える少なくとも２つの配線部（例えば、ＦＰＣ４００、ＦＰＣ４００’）と、複数の配線部にそれぞれ設けられ、圧力発生素子の駆動制御を行う複数のＩＣ（例えば、ＩＣ３００、ＩＣ３００’）と、複数のＩＣに接し、ＩＣの熱を放熱するヒートシンク（例えば、ヒートシンク１００、ヒートシンク２００）と、を備え、複数のＩＣは、直接ヒートシンクに接する第１のＩＣ（例えば、ＩＣ３００）と、配線部を介してヒートシンクに接する第２のＩＣ（例えば、ＩＣ３００’）とにより構成され、第１のＩＣの消費電力を、第２のＩＣの消費電力よりも大きくなるように制御する回路（例えば、駆動信号生成回路５０２）を備えるので、ヒートシンクによる冷却効率の差に起因する印刷品質の低下を抑制することができる。具体的には、ヒートシンクがＩＣ表面と接合する側のＩＣに吐出に影響しない程度の大きさの駆動波形を入力することで、ヒートシンクが直接貼り付けられたＩＣの発熱量が増えるため、ヒートシンクがＦＰＣを介して裏面側から貼り付けられたＩＣの温度に近づけることができる。したがって、ヒートシンクが直接貼り付けられたＩＣと、ヒートシンクがＦＰＣを介して裏面側から貼り付けられたＩＣの冷却効率の差を低減することができる。
【００２０】
なお、上記各実施例では、駆動信号発生回路５０２が、インクが吐出しない程度の駆動波形が印加駆動波形を出力するか否かにより、ＩＣ間の温度差を低減することとした。しかし、駆動信号発生回路５０２が上記印加駆動波形を出力するか否かではなく、消費電力に所定の差を生じさせるような駆動波形を、各ＩＣに出力してもよい。すなわち、駆動信号発生回路５０２が、ヒートシンクがＩＣ側から取り付けられたＦＰＣと、ヒートシンクが裏面側から取り付けられたＦＰＣとで、ドライバＩＣの消費電力にある一定の差を生じさせる。具体的には、駆動信号発生回路５０２は、ヒートシンクが裏面側から取り付けられたＩＣ３００’に対して吐出に影響しない程度の大きさの駆動信号（第２の駆動信号）を出力しつつ、ヒートシンクがＩＣ側から取り付けられたＩＣ３００に対して吐出に影響しない程度の大きさの駆動信号（第２の駆動信号よりも所定の差分だけ大きい波形の第１の駆動信号）を出力して、ヒートシンクがＩＣ側から取り付けられた方を、消費電力が大きくなるように制御する。例えば、駆動信号発生回路５０２は、ＩＣ３００に対して、吐出に影響しない程度の大きさの高周波数の駆動波形を出力する一方、ＩＣ３００’に対して、吐出に影響しない程度の大きさの低周波数の駆動波形（上記高周波数の駆動波形に対して所定の周波数分だけ低周波とした駆動波形）を出力するように制御する。
【００２１】
これにより、ヒートシンクがＩＣ側から取り付けられたＦＰＣとヒートシンクが裏面側から取り付けられたＦＰＣとで、温度差を低減する（例えば、同程度の温度とする）ことができ、印刷品質の悪化を防止することができる。
【００２２】
なお、上記各実施例における消費電力は、単位時間あたりの消費電力のほか、１滴の吐出あたりの消費電力として考えることができる。さらには、１印刷データあたりの消費電力のほか、概念的１週間（稼働とスリープ／オフが繰り返される５日間＋スリープ／オフの２日間）の消費電力量であるＴＥＣ（Typical Electricity Consumption）値あたりの消費電力として考えてもよい。
【００２３】
〔液体吐出ユニット〕
液体吐出ユニットには、上述の液体吐出ヘッド（インクジェットヘッド１０００）が備えられている。図１０、図１１及び図１２に、インクジェットヘッドとして搭載した液体吐出ユニットの一例を示す。
【００２４】
「液体吐出ユニット」とは、液体吐出ヘッドに他の機能部品、機構が一体化したものであり、液体を吐出する機能に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００２５】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００２６】
例えば、液体吐出ユニット４４０として、図１０に示すように液体吐出ヘッド４０４とヘッドタンク４４１が一体化されているものがある。
【００２７】
図１０に示す液体吐出ユニット４４０はキャリッジ４０３に搭載されている。キャリッジ４０３は、主走査移動機構を構成するガイド部材４０１により保持され、主走査方向に往復移動する。
【００２８】
図１０には、後述する液体を吐出する装置を構成している部材のうち、被記録媒体（例えば、用紙等）を搬送するための手段である搬送ベルト４１２を示している。この搬送ベルト４１２は、無端状ベルトであり、搬送ローラ４１３と、テンションローラ４１４との間に掛け渡されている。
【００２９】
また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００３０】
また、液体吐出ユニットとして、液体吐出ヘッドとキャリッジが一体化されているものがある。
【００３１】
また、液体吐出ユニットとして、液体吐出ヘッド４０４を主走査移動機構の一部を構成するガイド部材４０１に移動可能に保持させて、液体吐出ヘッド４０４と主走査移動機構４９３が一体化されているものがある。また、図１１に示すように、液体吐出ヘッド４０４とキャリッジ４０３と主走査移動機構４９３が一体化されているものがある。
【００３２】
図１１に示す液体吐出ユニット４４０は、後述する液体を吐出する装置を構成している部材のうち、側板４９１Ａ、４９１Ｂ及び背板４９１Ｃで構成される筐体部分と、主走査移動機構４９３と、キャリッジ４０３と、液体吐出ヘッド４０４で構成されている。図中矢印Ｄ１は主走査方向を示す。
【００３３】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００３４】
また、液体吐出ユニットとして、図１２に示すように流路部品４４４が取付けられた液体吐出ヘッド４０４にチューブ４５６が接続されて、液体吐出ヘッド４０４と供給機構が一体化されているものがある。このチューブ４５６を介して、液体貯留源の液体が液体吐出ヘッド４０４に供給される。
【００３５】
流路部品４４４はカバー４４２の内部に配置されている。流路部品４４４に代えてヘッドタンク４４１を含むこともできる。また、流路部品４４４の上部には液体吐出ヘッド４０４と電気的接続を行うコネクタ４４３が設けられている。
【００３６】
主走査移動機構は、ガイド部材単体も含むものとする。また、供給機構は、チューブ単体、装填部単体も含むものする。
【００３７】
〔液体を吐出する装置〕
液体を吐出する装置には、上述の液体吐出ヘッドを備えている。優れた組み立て性と優れた放熱効率とを両立することができ、最大吐出量の増加を実現可能な液体吐出ヘッドを備えることにより省スペース化を実現可能であり、液体を吐出する装置の小型化や低コスト化を実現することができるとともに、温度上昇による誤動作等を防止し、安定した液体吐出を実現することができる。
【００３８】
なお、本願において、「液体を吐出する装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００３９】
この「液体を吐出する装置」は、液体が付着可能なものの給送、搬送、排紙に係わる手
段、その他、前処理装置、後処理装置なども含むことができる。
【００４０】
例えば、「液体を吐出する装置」として、インクを吐出させて用紙に画像を形成する装
置である画像形成装置、立体造形物（三次元造形物）を造形するために、粉体を層状に形成した粉体層に造形液を吐出させる立体造形装置（三次元造形装置）がある。
【００４１】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００４２】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００４３】
上記「液体が付着可能なもの」の材質は、紙、糸、繊維、布帛、皮革、金属、プラスチック、ガラス、木材、セラミックスなど液体が一時的でも付着可能であればよい。
【００４４】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００４５】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００４６】
また、「液体を吐出する装置」としては他にも、用紙の表面を改質するなどの目的で用紙の表面に処理液を塗布するために処理液を用紙に吐出する処理液塗布装置、原材料を溶液中に分散した組成液をノズルを介して噴射させて原材料の微粒子を造粒する噴射造粒装置などがある。
【００４７】
図９に、液体吐出ヘッドをインクジェットヘッドとして搭載した液体を吐出する装置であるインクジェット画像形成装置の一例を示す。図９（Ａ）は要部構成の概略を示す斜視図、（Ｂ）は側面図である。
【００４８】
このインクジェット画像形成装置３０１は、装置本体の内部に、主走査方向に移動可能なキャリッジ、キャリッジに搭載したインクジェットヘッドからなる記録ヘッド、記録ヘッドへインクを供給するインクカートリッジ等で構成される液体吐出ユニットが印字機構部３０２に収納されている。装置本体の下方部には前方側から多数枚の記録紙３０３を積載可能な給紙カセット（給紙トレイ）３０４を抜き差し自在に装着することができ、また、記録紙３０３を手差しで給紙するための手差しトレイ３０５を開倒することができ、給紙カセット３０４或いは手差しトレイ３０５から給送される記録紙３０３を取り込み、印字機構部３０２によって所要の画像を記録した後、後面側に装着された排紙トレイ３０６に排紙する。
【００４９】
印字機構部３０２は、図示しない左右の側板に横架したガイド部材である主ガイドロッド３１１と従ガイドロッド３１２とでキャリッジ３１３を主走査方向（紙面の垂直方向）に摺動自在に保持し、このキャリッジ３１３にはイエロー（Ｙ）、シアン（Ｃ）、マゼンタ（Ｍ）、ブラック（Ｂ）の各色のインク滴を吐出するインクジェットヘッドからなる記録ヘッド３１４を複数のインク吐出口を主走査方向と交叉する方向に配列し、インク滴吐出方向を下方に向けて装着している。またキャリッジ３１３には記録ヘッド３１４に各色のインクを供給するための各インクカートリッジ３１５を交換可能に装着している。
【００５０】
インクカートリッジ３１５は上方に大気と連通する大気口、下方にはインクジェットヘッドへインクを供給する供給口を、内部にはインクが充填された多孔質体を有しており、多孔質体の毛管力によりインクジェットヘッドへ供給されるインクをわずかな負圧に維持している。
【００５１】
また、記録ヘッドとしてここでは各色の記録ヘッド３１４を用いているが、各色のインク滴を吐出するノズルを有する１個のヘッドでもよい。さらに、記録ヘッド３１４として用いるインクジェットヘッドは、圧電素子などの電気機械変換素子で液室壁面を形成する振動板を介してインクを加圧するピエゾ型、或いは発熱抵抗体により気泡を生じさせてインクを加圧するバブル型、若しくはインク流路壁面を形成する振動板とこれに対向する電極との間の静電力で振動板を変位させてインクを加圧する静電型などを使用することができるが、本実施形態では静電型インクジェットヘッドを用いている。
【００５２】
ここで、キャリッジ３１３は後方側（用紙搬送方向下流側）を主ガイドロッド３１１に摺動自在に嵌装し、前方側（用紙搬送方向下流側）を従ガイドロッド３１２に摺動自在に載置している。そして、このキャリッジ３１３を主走査方向に移動走査するため、主走査モータ３１７で回転駆動される駆動プーリ３１８と従動プーリ３１９との間にタイミングベルト３２０を張装し、このタイミングベルト３２０をキャリッジ３１３に固定しており、主走査モータ３１７の正逆回転によりキャリッジ３１３が往復駆動される。
【００５３】
一方、給紙カセット３０４にセットした記録紙３０３を記録ヘッド３１４の下方側に搬送するために、給紙カセット３０４から記録紙３０３を分離給装する給紙ローラ３２１及びフリクションパッド３２２と、記録紙３０３を案内するガイド部材３２３と、給紙された記録紙３０３を反転させて搬送する搬送ローラ３２４と、この搬送ローラ３２４の周面に押し付けられる搬送コロ３２５及び搬送ローラ３２４からの記録紙３０３の送り出し角度を規定する先端コロ３２６とを設けている。搬送ローラ３２４は副走査モータ３２７によってギヤ列を介して回転駆動される。
【００５４】
そして、キャリッジ３１３の主走査方向の移動範囲に対応して搬送ローラ３２４から送り出された記録紙３０３を記録ヘッド３１４の下方側で案内する用紙ガイド部材である印写受け部材３２９を設けている。この印写受け部材３２９の用紙搬送方向下流側には、記録紙３０３を排紙方向へ送り出すために回転駆動される搬送コロ３３１、拍車３３２を設け、さらに記録紙３０３を排紙トレイ３０６に送り出す排紙ローラ３３３及び拍車３３４と、排紙経路を形成するガイド部材３３５，３３６とを配設している。
【００５５】
記録時には、キャリッジ３１３を移動させながら画像信号に応じて記録ヘッド３１４を駆動することにより、停止している記録紙３０３にインクを吐出して１行分を記録し、記録紙３０３を所定量搬送後次の行の記録を行う。記録終了信号または、記録紙３０３の後端が記録領域に到達した信号を受けることにより、記録動作を終了させ記録紙３０３を排紙する。
【００５６】
また、キャリッジ３１３の移動方向右端側の記録領域を外れた位置には、記録ヘッド３１４の吐出不良を回復するための回復装置３３７を配置している。回復装置はキャップ手段と吸引手段とクリーニング手段を有している。キャリッジ３１３は印字待機中にはこの回復装置３３７側に移動されてキャッピング手段で記録ヘッド３１４をキャッピングされ、吐出口部を湿潤状態に保つことによりインク乾燥による吐出不良を防止する。また、記録途中などに記録と関係しないインクを吐出することにより、全ての吐出口のインク粘度を一定にし、安定した吐出性能を維持する。
【００５７】
吐出不良が発生した場合等には、キャッピング手段で記録ヘッド３１４の吐出口を密封し、チューブを通して吸引手段で吐出口からインクとともに気泡等を吸い出し、吐出口面に付着したインクやゴミ等はクリーニング手段により除去され吐出不良が回復される。また、吸引されたインクは、本体下部に設置された廃インク溜（不図示）に排出され、廃インク溜内部のインク吸収体に吸収保持される。
【符号の説明】
【００５８】
１０００    インクジェットヘッド
１００、２００    ヒートシンク
３００、３００’    ＩＣ
４００、４００’    ＦＰＣ
４０１    ガイド部材
４０３    キャリッジ
４０４    液体吐出ヘッド
４０５    主走査モータ
４０６    駆動プーリ
４０７    従動プーリ
４０８    タイミングベルト
４１２    搬送ベルト
４１３    搬送ローラ
４１４    テンションローラ
４４０    液体吐出ユニット
４４１    ヘッドタンク
４４２    カバー
４４３    コネクタ
４４４    流路部品
４５６    チューブ
４９１Ａ、４９１Ｂ  側板
４９１Ｃ  背板
４９３    主走査移動機構
５０１    ＰＺＴ
５０２    駆動信号生成回路
ＳＷ    スイッチ
【先行技術文献】
【特許文献】
【００５９】
【特許文献１】特開２０１３−０６３５５５号公報
【図１】
2020044764.tif 000003
【図２】
2020044764.tif 000004
【図３】
2020044764.tif 000005
【図４】
2020044764.tif 000006
【図５】
2020044764.tif 000007
【図６】
2020044764.tif 000008
【図７】
2020044764.tif 000009
【図８】
2020044764.tif 000010
【図９】
2020044764.tif 000011
【図１０】
2020044764.tif 000012
【図１１】
2020044764.tif 000013
【図１２】
2020044764.tif 000014